(57)【要約】【課題】  屋上全体を、水を利用して積極的に温度を下げる施工方法を提供することを課題としている。【解決手段】  建物の屋根の水勾配を小さくして平面状に防水施工し、その屋根全体を水で浅く満したため、夏の直射日光の熱を水で吸収する事が可能となり、防水層の老化を防ぐと共に、最上階の室温の上昇を抑えることが可能となり、室内温度調整のための空調費を下げることが出来る。【選択図】図１
2008138492.tif 000002
【特許請求の範囲】
【請求項１】
建物の屋上の水勾配を小さくして平面状に防水施工すると共に、その屋上全体を水で浅く満した事を特徴とする最上階の省エネ用屋上プール構造。
【請求項２】
屋上の一部に、屋上面より深い枡を設け、その枡に水道を設置すると共に、水道を開閉するため、枡に満された水の浅深で水道を自動開閉する装置を取付けた事を特徴とする請求項１記載の最上階の省エネ用屋上プール構造。
【請求項３】
屋上の一部を関板で囲うと共に、屋上全体に満された水が、関板より溢れた場合、その関板内に流れ込んだ水を排水樋より排水した事を特徴とする請求項１記載の最上階の省エネ用屋上プール構造。
【請求項４】
枡に水抜用の排水樋を設置した事を特徴とする請求項１又は２に記載の最上階の省エネ用屋上プール構造。
【発明の詳細な説明】
【技術分野】
【０００１】  本発明は、建物の屋上に構築する省エネ用屋上プール構造に関するものである。
【背景技術】
【０００２】  一般に都市部では、コンクリートの建築物が多く、これらの屋上面の防水層は、夏季には太陽熱によって６５〜７０℃まで温度が上昇し、室内温度を異常に高め、最悪の居住環境をつくりだし、室内の温度調整のため空調に多大なエネルギーを消費してきた。さらに屋上面の防水層は、夏季において強烈な直射日光にさらされるため老化が早まると共に、昼夜の温度変化の幅が大きく、熱膨張と熱収縮が連日反復されるため、防水層の老化が一段と早まり、建物に悪影響を及ぼしてきた。このことが都市のヒートアイランド現象を引き起す要因のひとつになっている。【０００３】  従来、このような問題に対する対策として、建物の屋上を緑化する省エネ技術や、断熱・保水マットを使用した技術等が提案されている。
【発明の開示】
【発明が解決しようとする課題】
【０００４】  しかしながら、このような屋上緑化による方法は、高価であり、さらに植物の保守が必要に成ると共に、植物や土壌は重量があるため、建物の構造も頑強なものが求められるため、屋上緑化の適用範囲は限定されているのが現状である。【０００５】  また、断熱・保水マットによる省エネ方法は、多数個のユニットを連結して構成されるため、高価であり、さらに各ユニットに給水するための給水設備が必要となる等、多くの問題点を抱えていた。【０００６】  本発明は、上記の実情に鑑みてなされたもので、その目的とするところは、従来の常識を覆し、屋上全体を、雨水や地下水、又は水道水を利用して浅く満した事により、防水層を保護し、最上階の防音効果を高め、確実に省エネ効果が得られ、かつ、施工も容易でランニングコストが低く、積極的に温度を下げる施工方法を提供することを課題としている。
【課題を解決するための手段】
【０００７】  かかる課題を解決するために、請求項１に記載の発明は、建物の屋上の水勾配を小さくして平面状に防水施工すると共に、その屋上全体を水で浅く満した事を特徴とする。【０００８】  請求項２に記載の発明は、屋上の一部に、屋上面より深い枡を設け、その枡に水道を設置すると共に、水道を開閉するため、枡に満された水の浅深で水道を自動開閉する装置を取付けた事を特徴とする。【０００９】  請求項３に記載の発明は、屋上の一部を関板で囲うと共に、屋上全体に満された水が、関板より溢れた場合、その関板内に流れ込んだ水を排水樋より排水した事を特徴とする。【００１０】  請求項４に記載の発明は、枡に水抜用の排水樋を設置した事を特徴とする。
【発明の効果】
【００１１】  請求項１に記載の発明によれば、建物の屋根の水勾配を小さくして平面状に防水施工し、その屋根全体を水で浅く満したため、夏の直射日光の熱を水が吸収して防水層の老化を防ぐと共に、最上階の室温の上昇を抑え、防音効果を高めることが可能となり、室内温度調整のための空調費を下げることが出来る。また、冬季においては、気温が氷点下に下がると、水が凍る為、屋上面の温度が０度を大幅に下回る事がなくなるため、暖房費用を下げることが出来る。さらに、雨水を有効利用するため、省エネにも役立つ。【００１２】  請求項２に記載の発明によれば、屋上の一部に、屋上面より深い枡を設け、その枡に水道を設置すると共に、枡に満された水の浅深で水道を自動開閉する装置を取付けたため、雨が長期にわたり降らないような場合、水を自動的に給水させる事が可能となるばかりでなく、枡を設けた事により、フロートの上下の動作に余裕が出来て、屋上全体を浅く満した水位調整が容易に行える。【００１３】  請求項３に記載の発明によれば、屋上の一部を関板で囲うと共に、屋上全体に満された水が、関板より溢れた場合、その関板内に流れ込んだ水を排水樋より排水した事により、水の水位調節が可能となるばかりではなく、建築後、建物が不同沈下して建物が多少傾いた場合（住宅の品質確保の促進等に関する法律によると、水平方向３ｍで、上下方向９ｍｍ未満の傾きは、正常範囲とされている。）でも、高さの異なる関板に取替える事により対応可能となる。さらに、関板を取外す事により、屋上の水を全て排水させると共に、水を使って屋上の清掃をすることが出来る。【００１４】  請求項４に記載の発明によれば、枡に水抜用の排水樋を設置したため、屋上の清掃作業をより一層効率的に行うことが可能となった。
【実施例１】
【００１５】  以下、この発明の実施の形態１について説明する。【００１６】  図１及至図６には、この発明の実施の形態１を示す。【００１７】  図１は、最上階の省エネ用屋上プール構造を立体図で表す。屋上１はパラペット２で囲まれると共に、Ａ−拡大図で示す給水設備Ａと、Ｂ−拡大図で示す溢れ水の排水設備Ｂにより屋上面は常時水で浅く満され貯水される。なお、屋上面２０の水勾配は、陸屋根では１／１００〜１／５０設けるのが一般的であるが、本発明においては、水の総量を減らすため水勾配をさらに小さくして、屋上面２０の水の深さを均等に近づける事が望ましい。【００１８】  図２は、最上階の省エネ用屋上プール構造を断面図で表す。屋上面２０には関板（止水板）４を嵌め込むための関板組込溝１１と、屋上面２０より少し深く構成された枡９が構築されると共に、屋上面２０の上部には塗膜防水１４が施工されパラペット２の立上がりにも、塗膜防水１４が施工される。枡には水を給水するための水道管７とその水道管７を開閉するための水道自動開閉装置８が取付けられ、水道自動開閉装置８に取付けられたフロート６の上下の動きに対応して水道管７の開閉を行う。また、溢れ水用樋口２１の排水口部２２は、屋上面２０に接するように構成され、雨により水面１８が上昇して、関板（止水板）４から水が溢れた場合、その水は、排水口部２２より溢れ水１２として溢れ水用樋５を経由して排水される。なお、カバー１７は給水設備Ａを風雨から守るための防御カバーであり、パラペット２にボルト等（図示せず）で固定される。【００１９】  このようにして、通常の状態では屋上面２０は雨が降る事により、常時、水で浅く満たされ貯水される。また、長期に渡り雨が降らず屋上面２０の水位が浅くなった場合は、フロート６が下がると共に、水道自動開閉装置８が水道管７を開口させ水が供給される。この場合、フロート６の動作に対して水道管７の開閉動作が過敏にならないように、フロート６の開口動作は関板（止水板）４の上面より少し下がった位置で開口するように設定しておくことが望ましい。【００２０】  図３は、最上階の省エネ用屋上プール構造の関板を取外した状態を表す。屋上面２０とパラペット２に構成された関板組込溝１１に関板（止水板）４を組込むことにより、図４に示すように水面１８が関板（止水板）４で関られる。このようにして、関板（止水板）４からの溢れ水１２が溢れ水用樋５を経由して排水される。なお、屋上面２０の水の深さは水の重量と断熱効果を考慮すると約５センチメートルとするのが適している。そのため関板（止水板）４の高さは屋上面２０より約５センチメートルの高さになるように構成される。なお、屋上面２０に施工される塗膜防水１４は、パラペット２面に対しても約１０センチメートル以上立ち上げて塗膜する事が望ましい。【００２１】  図５は、最上階の省エネ用屋上プール構造の大雨対策の為の樋構造を断面図で表す。排水口３０の水を排水するための水取入口２９は、上記、図３で説明した関板（止水板）４の上面と一致するように、屋上面２０より約５センチメートルの高さに施工される。台風等で短時間に大量の雨が降った場合は、この排水口３０より溢れ水用樋５を経由して排水される。
【実施例２】
【００２２】  以下、この発明の実施の形態２について説明する。【００２３】  図７と図８には、この発明の実施の形態２を示す。上記発明の実施の形態１では、屋上１の水を排水させ屋上１を清掃する場合は、関板（止水板）４を取外す事により行ってきたのに対して、この発明の実施の形態２では、枡９の側面に設けた止水栓３４を取外すことにより、屋上１の水を排水させ屋上１を清掃する。その他の構造は、この発明の実施の形態１と同様である。【００２４】  以上、実施の形態に基づいて、本発明に係る最上階の省エネ用屋上プール構造について詳細に説明してきたが、本発明は、以上の実施の形態に限定されるものではなく、発明の趣旨を逸脱しない範囲において各種の改変をなしても、本発明の技術的範囲に属するのはもちろんである。【００２５】  さらに、図５と図６において、排水口３０は大雨時の排水に対応すると記載されているが、関板（止水板）４とその溢れ水樋５を構成せず、その代わりに複数個の排水口３０を建物に取付け、溢れ水を排水させる事も可能である。【００２６】  また、本発明においては、塗膜防水１４で施工する場合に関して説明してきたが、陸屋根等で用いられているアスファルト防水やシート防水さらに、防水押さえコンクリートを用いた施工方法に関しても同様に可能である。【００２７】  さらに、本発明においては、コンクリート建築物の屋上について述べてきたが、近年、２×４（ツーバイフォー）の３階建住宅が多数建築されるようになり、このような木造住宅の屋上に塗膜防水を施工する場合においても同様に有効である。【００２８】  また、本発明において、給水設備Ａはフロート６の上下動作により水道自動開閉装置８が水道管７の開閉動作を行うように説明されているが、このようなフロート６による水道自動開閉装置８に限定されることなく、電気的な水位センサーを用いた水道自動開閉装置を使用する事も可能である。【００２９】  なお、本発明において、図１には排水設備Ｂが一箇所のみ記載されているが、複数個の排水設備Ｂを設けることにより、大雨対策のための排水樋３を代用させることも可能である。
【図面の簡単な説明】
【００３０】
【図１】この発明の実施の形態１に係る最上階の省エネ用屋上プール構造を立体図で表す。
【図２】同実施の形態に係る最上階の省エネ用屋上プール構造を断面図で表す。
【図３】同実施の形態に係る最上階の省エネ用屋上プール構造の関板を取外した状態を表す。
【図４】同実施の形態に係る最上階の省エネ用屋上プール構造の関板を組込んだ状態を表す。
【図５】同実施の形態に係る最上階の省エネ用屋上プール構造の大雨対策の為の樋構造を断面図で表す。
【図６】同実施の形態に係る最上階の省エネ用屋上プール構造の大雨対策の為の樋構造を立体図で表す。
【図７】この発明の実施の形態２に係る最上階の省エネ用屋上プール構造の給水装置と排水樋を断面図で表す。
【図８】同実施の形態に係る最上階の省エネ用屋上プール構造の給水装置と排水樋を立体図で表す。
【符号の説明】
【００３１】Ａ                  給水設備
Ｂ                  排水設備
１                  屋上
２                  パラペット
３                  排水樋
４                  関板（止水板）
５                  溢れ水用樋
６                  フロート
７                  水道管
８                  水道自動開閉装置
９                  枡
１０                ルーフドレーン
１１                関板組込溝
１２                溢れ水
１３                樋固定金物
１４                塗膜防水
１５                水道固定金物
１６                止水栓
１７                カバー
１８                水面
１９                雲
２０                屋上面
２１                溢れ水用樋口
２２                排水口部
２９                水取入口
３０                排水口
３１                掃除排水
３２                樋止め金物
３３                掃除用排水樋
３４                止水栓
【図１】
2008138492.tif 000003
【図２】
2008138492.tif 000004
【図３】
2008138492.tif 000005
【図４】
2008138492.tif 000006
【図５】
2008138492.tif 000007
【図６】
2008138492.tif 000008
【図７】
2008138492.tif 000009
【図８】
2008138492.tif 000010